(57)【要約】【課題】排泄された便を、インジケータまで到達させやすい吸収性物品を提供する。【解決手段】展開状態において長手方向と幅方向と厚さ方向とを有し、吸収体（２１）と、吸収体（２１）よりも厚さ方向の肌側に設けられたトップシート（２２）と、吸収体（２１）よりも厚さ方向の非肌側に設けられ、便と接触することにより所定の反応を呈する便インジケータ（４０）と、を有する吸収性物品（１）であって、厚さ方向において、トップシート（２２）と便インジケータ（４０）との間には、１以上のシート部材が配置されており、シート部材のクレム吸水度は、トップシート（２２）のクレム吸水度よりも大きい。【選択図】図２
2020081343.tif 000002
【特許請求の範囲】
【請求項１】
展開状態において長手方向と幅方向と厚さ方向とを有し、
吸収体と、
前記吸収体よりも前記厚さ方向の肌側に設けられたトップシートと、
前記吸収体よりも前記厚さ方向の非肌側に設けられ、便と接触することにより所定の反応を呈する便インジケータと、
を有する吸収性物品であって、
前記厚さ方向において、前記トップシートと前記便インジケータとの間には、１以上のシート部材が配置されており、
前記シート部材のクレム吸水度は、前記トップシートのクレム吸水度よりも大きい、ことを特徴とする吸収性物品。
【請求項２】
請求項１に記載の吸収性物品であって、
前記シート部材は、前記厚さ方向において、前記トップシートと前記吸収体との間に設けられたセカンドシートである、ことを特徴とする吸収性物品。
【請求項３】
請求項２に記載の吸収性物品であって、
前記吸収体は、液吸収性の吸収コアを有し、
前記シート部材は、前記吸収コアを前記厚さ方向の肌側及び非肌側から覆うコアラップシートと前記セカンドシートとのうち、少なくとも何れかである、ことを特徴とする吸収性物品。
【請求項４】
請求項３に記載の吸収性物品であって、
前記セカンドシートのクレム吸水度は、前記コアラップシートのクレム吸水度よりも大きい、ことを特徴とする吸収性物品。
【請求項５】
請求項２〜４のいずれか１項に記載の吸収性物品であって、
前記長手方向において、前記セカンドシートの中心は、前記吸収性物品の中心よりも後側に位置している、ことを特徴とする吸収性物品。
【請求項６】
請求項５に記載の吸収性物品であって、
前記長手方向において、前記セカンドシートの前側端は、前記吸収性物品の中心よりも後側に位置している、ことを特徴とする吸収性物品。
【請求項７】
請求項１〜６のいずれか１項に記載の吸収性物品であって、
前記長手方向及び前記幅方向において、前記シート部材と前記便インジケータとが重複する部分を有している、ことを特徴とする吸収性物品。
【請求項８】
請求項１〜７のいずれか１項に記載の吸収性物品であって、
前記吸収体は、前記幅方向の中央部に低坪量部を有し、
前記低坪量部の坪量は、前記低坪量部に前記幅方向の外側から隣接する領域の坪量よりも低く 、
前記長手方向及び前記幅方向において、前記低坪量部と前記便インジケータとが重複する部分を有している、ことを特徴とする吸収性物品。
【請求項９】
請求項８に記載の吸収性物品であって、
前記トップシートよりも前記厚さ方向の非肌側に設けられたセカンドシートと
前記吸収体よりも前記厚さ方向の非肌側に設けられたバックシートと、
を備え、
前記便インジケータは、前記厚さ方向において、前記吸収体の前記低坪量部と前記バックシートとの間に配置され、
前記幅方向において、前記低坪量部と対応する領域にて、前記トップシートと前記セカンドシートとが前記厚さ方向に接合されている、ことを特徴とする吸収性物品。
【請求項１０】
請求項９に記載の吸収性物品であって、
前記吸収体は、吸収性コアと、前記吸収性コアの肌側面及び非肌側面を覆うコアラップシートとを有し、
前記幅方向において、前記低坪量部と対応する領域にて、前記セカンドシートと前記コアラップシートとが前記厚さ方向に接合されている、ことを特徴とする吸収性物品。
【請求項１１】
請求項１０に記載の吸収性物品であって、
前記幅方向において、前記低坪量部と対応する領域にて、前記コアラップシートと前記バックシートとが前記厚さ方向に接合されている、ことを特徴とする吸収性物品。
【請求項１２】
請求項８〜１１のいずれか１項に記載の吸収性物品であって、
前記低坪量部は、少なくとも前記幅方向の中央部において坪量がゼロである領域を有する、ことを特徴とする吸収性物品。
【請求項１３】
請求項１２に記載の吸収性物品であって、
前記トップシートよりも前記厚さ方向の非肌側に設けられたセカンドシートと
前記吸収体よりも前記厚さ方向の非肌側に設けられたバックシートと、
を備え、
前記吸収体は、吸収性コアと、前記吸収性コアの肌側面及び非肌側面を覆うコアラップシートとを有し、
前記幅方向において、前記坪量がゼロである領域と対応する領域にて、前記トップシートと、前記セカンドシートと、前記コアラップシートと、前記バックシートとが前記厚さ方向に接合されている、ことを特徴とする吸収性物品。
【請求項１４】
請求項１３に記載の吸収性物品であって、
前記コアラップシートは、前記吸収性コアの肌側面を覆う肌側部と、非肌側面を覆う非肌側部を有し、
前記幅方向において、前記坪量がゼロである領域と対応する領域にて、前記コアラップシートの前記肌側部と前記非肌側部とが前記厚さ方向に接合されている、ことを特徴とする吸収性物品。
【請求項１５】
請求項１〜１４のいずれか１項に記載の吸収性物品であって、
前記長手方向において、前記便インジケータの中心は、前記吸収性物品の中心よりも後側に位置している、ことを特徴とする吸収性物品。
【請求項１６】
請求項１〜１５のいずれか１項に記載の吸収性物品であって、
前記便インジケータは、前記吸収性物品の前記長手方向の中心よりも後側に配置されている面積が、前記吸収性物品の前記長手方向の中心よりも前側に配置されている面積よりも大きい、ことを特徴とする吸収性物品。
【発明の詳細な説明】
【技術分野】
【０００１】
本発明は、吸収性物品に関する。
【背景技術】
【０００２】
吸収性物品の一例として、使い捨ておむつが知られている。このような使い捨ておむつには、排泄物の吸収量を視覚化し、使用者に取り換え時期を知らせるためのインジケータ機能を有するものがある。例えば、特許文献１には、おむつの吸収体と裏面シートとの間に、尿と接触することによって色が変化する排尿インジケータを備え、該排尿インジケータと重なる部分において外装不織布を圧密化することで、インジケータの視認性を高めた使い捨ておむつが開示されている。
【先行技術文献】
【特許文献】
【０００３】
【特許文献１】特開２０１２−１００８８６号公報
【発明の概要】
【発明が解決しようとする課題】
【０００４】
特許文献１の使い捨ておむつによれば、使用者（例えば、被着用者におむつを着用させる者）は、排尿が行われたことをおむつの外側から視覚的に認識することが可能となる。一方、インジケータによって便を検出しようとする場合、便は尿と比較して流動性が低いため、トップシートを透過させて、裏面シート（バックシート）側に設けられたインジケータまで便を到達させることが困難であった。そのため、排便が行われたことを精度よく検出することが困難であった。
【０００５】
本発明は、上記のような従来の問題に鑑みてなされたものであって、その目的は、排泄された便を、インジケータまで到達させやすい吸収性物品を提供することにある。
【課題を解決するための手段】
【０００６】
上記目的を達成するための主たる発明は、展開状態において長手方向と幅方向と厚さ方向とを有し、吸収体と、前記吸収体よりも前記厚さ方向の肌側に設けられたトップシートと、前記吸収体よりも前記厚さ方向の非肌側に設けられ、便と接触することにより所定の反応を呈する便インジケータと、を有する吸収性物品であって、前記厚さ方向において、前記トップシートと前記便インジケータとの間には、１以上のシート部材が配置されており、前記シート部材のクレム吸水度は、前記トップシートのクレム吸水度よりも大きい、ことを特徴とする吸収性物品である。
【０００７】
本発明の他の特徴については、本明細書及び添付図面の記載により明らかにする。
【発明の効果】
【０００８】
本発明によれば、排泄された便を、インジケータまで到達させやすい吸収性物品を提供することができる。
【図面の簡単な説明】
【０００９】
【図１】おむつ１が展開かつ伸長された状態における平面図である。
【図２】図１に示す線Ａ−Ａでの断面図である。
【図３】便インジケータ４０及び尿インジケータ５０の変形例について示す図である。
【図４】各シート部材のクレム吸水度の大きさと、便インジケータ４０の反応性との関係について検証実験を行った結果について表した表である。
【図５】低坪量部２１Ａ（吸収性コア２４）の別の構成を示す部分拡大断面図である。
【発明を実施するための形態】
【００１０】
本明細書及び添付図面の記載により、少なくとも以下の事項が明らかとなる。
展開状態において長手方向と幅方向と厚さ方向とを有し、吸収体と、前記吸収体よりも前記厚さ方向の肌側に設けられたトップシートと、前記吸収体よりも前記厚さ方向の非肌側に設けられ、便と接触することにより所定の反応を呈する便インジケータと、を有する吸収性物品であって、前記厚さ方向において、前記トップシートと前記便インジケータとの間には、１以上のシート部材が配置されており、前記シート部材のクレム吸水度は、前記トップシートのクレム吸水度よりも大きい、ことを特徴とする吸収性物品。
【００１１】
このような吸収性物品によれば、トップシートの肌側に便が排泄されると、便に含まれる水分が、クレム吸水度の大きいシート部材によって非肌側に引き込まれ、トップシートから便インジケータ側へ透過しやすくなる。したがって、便を便インジケータまで到達させやすくすることができる。
【００１２】
かかる吸収性物品であって、前記シート部材は、前記厚さ方向において、前記トップシートと前記吸収体との間に設けられたセカンドシートである、ことが望ましい。
【００１３】
このような吸収性物品によれば、便に含まれる水分が、セカンドシートによって非肌側に引き込まれ、トップシートから便インジケータ側へ透過しやすくなる。したがって、便をインジケータまで到達させやすくすることができる。
【００１４】
かかる吸収性物品であって、前記吸収体は、液吸収性の吸収コアを有し、前記シート部材は、前記吸収コアを前記厚さ方向の肌側及び非肌側から覆うコアラップシートと前記セカンドシートとのうち、少なくとも何れかである、ことが望ましい。
【００１５】
このような吸収性物品によれば、便に含まれる水分が、セカンドシートもしくはコアラップシートによって非肌側に引き込まれ、トップシートから便インジケータ側へ透過しやすくなる。したがって、より便をインジケータまで到達させやすくすることができる。
【００１６】
かかる吸収性物品であって、前記セカンドシートのクレム吸水度は、前記コアラップシートのクレム吸水度よりも大きい、ことが望ましい。
【００１７】
このような吸収性物品によれば、粒子と便汁とが混在した状態の便から、水分（便汁）のみをトップシートから非肌側に強く引き込むことができる。また、コアラップシートにおいて便汁が拡散してしまうことを抑制できる。したがって、便に含まれる水分を便インジケータに到達させて、便を検出させやすくすることができる。
【００１８】
かかる吸収性物品であって、前記長手方向において、前記セカンドシートの中心は、前記吸収性物品の中心よりも後側に位置している、ことが望ましい。
【００１９】
このような吸収性物品によれば、吸収性物品の着用時において、セカンドシートが着用者の臀部側（すなわち肛門付近）に配置されるため、排出された便を、速やかに非肌側に引き込むことができる。これにより、便を便インジケータに到達させやすくすることができる。
【００２０】
かかる吸収性物品であって、前記長手方向において、前記セカンドシートの前側端は、前記吸収性物品の中心よりも後側に位置している、ことが望ましい。
【００２１】
このような吸収性物品によれば、着用時に吸収性物品が長手方向の中心にて二つ折りにされる際に、セカンドシートが折れ曲がり難く、セカンドシートがトップシートから剥離することが抑制される。したがって、トップシートからセカンドシートへの便汁の引き込みが阻害されにくく、便汁が便インジケータに到達しやすくなる。
【００２２】
かかる吸収性物品であって、前記長手方向及び前記幅方向において、前記シート部材と前記便インジケータとが重複する部分を有している、ことが望ましい。
【００２３】
このような吸収性物品によれば、シート部材（セカンドシート及びコアラップシート）によって、トップシートの肌側面から厚さ方向の非肌側に引き込まれた便（便汁）が、そのまま厚さ方向の非肌側に透過して、便インジケータと直接接触しやすくなる。これにより、便インジケータによる便の検出精度を高めることができる。
【００２４】
かかる吸収性物品であって、前記吸収体は、前記幅方向の中央部に低坪量部を有し、前記低坪量部の坪量は、前記低坪量部に前記幅方向の外側から隣接する領域の坪量よりも低く、前記長手方向及び前記幅方向において、前記低坪量部と前記便インジケータとが重複する部分を有している、ことが望ましい。
【００２５】
このような吸収性物品によれば、便（便汁）が、吸収体の低坪量部を透過して肌側から非肌側へ移動し、便インジケータに到達しやすくなる。したがって、便インジケータによる便の検出性をより高めることができる。
【００２６】
かかる吸収性物品であって、前記トップシートよりも前記厚さ方向の非肌側に設けられたセカンドシートと、前記吸収体よりも前記厚さ方向の非肌側に設けられたバックシートと、を備え、前記便インジケータは、前記厚さ方向において、前記吸収体の前記低坪量部と前記バックシートとの間に配置され、前記幅方向において、前記低坪量部と対応する領域にて、前記トップシートと前記セカンドシートとが前記厚さ方向に接合されている、ことが望ましい。
【００２７】
このような吸収性物品によれば、低坪量部と対応する領域において、トップシートとセカンドシートとを接合することで、トップシートとセカンドシート間において厚さ方向に空間が生じず、厚さ方向非肌側への便の水分の引き込み性を向上させることができる。
【００２８】
かかる吸収性物品であって、前記吸収体は、吸収性コアと、前記吸収性コアの肌側面及び非肌側面を覆うコアラップシートとを有し、前記幅方向において、前記低坪量部と対応する領域にて、前記セカンドシートと前記コアラップシートとが前記厚さ方向に接合されている、ことが望ましい。
【００２９】
このような吸収性物品によれば、低坪量部と対応する領域において、セカンドシートとコアラップシートとを接合することで、セカンドシートとコアラップシートとの間において厚さ方向に空間が生じず、厚さ方向非肌側への便の水分の引き込み性を向上させることができる。
【００３０】
かかる吸収性物品であって、前記幅方向において、前記低坪量部と対応する領域にて、前記コアラップシートと前記バックシートとが前記厚さ方向に接合されている、ことが望ましい。
【００３１】
このような吸収性物品によれば、低坪量部と対応する領域において、コアラップシートとバックシートとを接合することで、コアラップシートとバックシートとの間において厚さ方向に空間が生じず、吸収体を透過した便の水分が便インジケータに到達し易くなる。
【００３２】
かかる吸収性物品であって、前記低坪量部は、少なくとも前記幅方向の中央部において坪量がゼロである領域を有する、ことが望ましい。
【００３３】
このような吸収性物品によれば、低坪量部に坪量がゼロである領域を設けることで、便の水分は坪量がゼロの領域を透過してより下層に引き込まれ易くなる。下層への引き込み性が向上することによって、便インジケータの反応を高めることができる。
【００３４】
かかる吸収性物品であって、前記トップシートよりも前記厚さ方向の非肌側に設けられたセカンドシートと、前記吸収体よりも前記厚さ方向の非肌側に設けられたバックシートと、を備え、前記吸収体は、吸収性コアと、前記吸収性コアの肌側面及び非肌側面を覆うコアラップシートとを有し、前記幅方向において、前記坪量がゼロである領域と対応する領域にて、前記トップシートと、前記セカンドシートと、前記コアラップシートと、前記バックシートとが前記厚さ方向に接合されている、ことが望ましい。
【００３５】
このような吸収性物品によれば、各シート間において厚さ方向に空間が生じず、厚さ方向非肌側への便の水分の引き込み性を向上させることができる。
【００３６】
かかる吸収性物品であって、前記コアラップシートは、前記吸収性コアの肌側面を覆う肌側部と、非肌側面を覆う非肌側部を有し、前記幅方向において、前記坪量がゼロである領域と対応する領域にて、前記コアラップシートの前記肌側部と前記非肌側部とが前記厚さ方向に接合されている、ことが望ましい。
【００３７】
このような吸収性物品によれば、コアラップシートの肌側部と非肌側部との間において厚さ方向に空間が生じず、厚さ方向非肌側への便の水分の引き込み性を向上させることができる。
【００３８】
かかる吸収性物品であって、前記長手方向において、前記便インジケータの中心は、前記吸収性物品の中心よりも後側に位置している、ことが望ましい。
【００３９】
このような吸収性物品によれば、長手方向において便インジケータの位置と着用者の肛門（臀部）とが近くなる。したがって、排泄された便が便インジケータに到達しやすくなり、便の検出精度をより高めることができる。
【００４０】
かかる吸収性物品であって、前記便インジケータは、前記吸収性物品の前記長手方向の中心よりも後側に配置されている面積が、前記吸収性物品の前記長手方向の中心よりも前側に配置されている面積よりも大きい、ことが望ましい。
【００４１】
このような吸収性物品によれば、着用者の肛門付近（長手方向の後側）の領域において、便インジケータによる検出可能範囲を広くすることができる。したがって、便の検出精度をより高めることができる。
【００４２】
＝＝＝実施形態＝＝＝
本発明に係る吸収性物品として、乳幼児用のテープ型使い捨ておむつを例に挙げて実施形態を説明する。ただし、これに限らず、例えば、パンツ型やパッドタイプの使い捨ておむつ、大人用のテープ型使い捨ておむつ等にも本発明を適用できる。
【００４３】
＜テープ型使い捨ておむつ１の基本構成＞
図１は、テープ型使い捨ておむつ１（以下「おむつ」ともいう）が展開かつ伸長された状態における平面図である。図２は、図１に示す線Ａ−Ａでの断面図である。おむつ１を伸長させた状態とは、おむつ１の展開状態において、おむつ１に生じていた皺が実質的に視認されなくなる程に伸長させた状態であり、おむつ１を構成する各部材（例えば後述するトップシート２２等）の寸法がその部材単体の寸法と一致又はそれに近い長さになるまでおむつ１が伸長した状態である。
【００４４】
本実施形態のおむつ１は、所謂オープンタイプの使い捨ておむつであり、図１に示すように、前部３と、股下部５と、後部７とを有する。前部３は、着用者の前部（腹側、前胴回り）に位置することになる部分である。また、後部７は、着用者の後部（背側、後胴回り）に位置することになる部分である。股下部５は、前部３と後部７との間に位置することになる部分である。
【００４５】
以下の説明では、図１に示すように、各方向を定義する。すなわち、伸長状態のおむつ１において、前部３から後部７に向かう方向を「長手方向」とし、長手方向と直交する方向を「幅方向」とする。図１に示されている線Ｂ−Ｂは、長手方向におけるおむつ１の中心を示す線である。また、図２に示すように、長手方向及び幅方向と直交する方向を「厚さ方向」とし、着用者の肌の側を「肌側」とし、その逆側を「非肌側」とする。
【００４６】
おむつ１は、中央帯状領域１２と、サイドフラップ１４と、レッグギャザー１６と、レッグサイドギャザー１７とを有する。一対のサイドフラップ１４は、後部７において、ファスニングテープ３０がそれぞれ取り付けられている。
【００４７】
中央帯状領域１２は、前部３、股下部５及び後部７によって構成された幅方向の中央部に位置する帯状の領域である（図１参照）。中央帯状領域１２は、着用者によって排泄された尿等の液体を吸収し保持する部位である。中央帯状領域１２は、液保持性の吸収体２１を含む縦長の形状（長手方向に沿った形状）を有する。中央帯状領域１２は、主に、吸収体２１と、同吸収体２１を肌側から覆う液透過性のトップシート２２と、同吸収体２１を非肌側から覆う液不透過性のバックシート２３、及び、おむつ１の外装をなす外装シート２７（例えば不織布）とを有する（図２参照）。中央帯状領域１２には、さらに、液透過性であるセカンドシート３５が設けられている。
【００４８】
本実施形態の吸収体２１は、図２に示すように、尿等の排泄物を吸収する吸収性コア２４と、吸収性コア２４を厚さ方向の肌側及び非肌側の両側からそれぞれ覆う液透過性のコアラップシート２５とを有している。
【００４９】
吸収体２１（吸収性コア２４）は、前部３、股下部５及び後部７にわたって配置されている。本実施形態の吸収性コア２４は、所定形状の一例としての平面視略砂時計形状を有する。吸収性コア２４を構成する液体吸収性素材としては、例えばパルプ繊維等の液体吸収性繊維や、高吸収性ポリマー（所謂ＳＡＰ）等の液体吸収性粒状物を使用することができる。また、液体吸収性繊維及び液体吸収性粒状物以外の液体吸収性素材を含んでいても良い。
【００５０】
サイドフラップ１４は、中央帯状領域１２の幅方向の両側部に位置する部位である。サイドフラップ１４は、前部３、股下部５及び後部７にわたって形成されている（図１参照）。股下部５におけるサイドフラップ１４の幅方向の長さ（幅）は、前部３及び後部７におけるサイドフラップ１４の幅方向の長さ（幅）よりも狭い。サイドフラップ１４は、主に、肌側シート２６とバックシート２３から構成されている（図２参照）。肌側シート２６は、前部３、股下部５及び後部７にわたって形成された肌側の部材であり、例えば不織布で構成されている。肌側シート２６は、レッグサイドギャザー１７（立体ギャザー）を構成する部材でもあり、肌側シート２６の外側の部位（図１の破線で表示された接合部２６Ａより外側の部位）がサイドフラップ１４を構成する。
【００５１】
中央帯状領域１２のうち少なくとも股下部５には、吸収体２１とバックシート２３との間に、長手方向に伸縮可能な一対の脚周り弾性部材２８（例えば糸ゴム）が設けられている。脚周り弾性部材２８は、股下部５の中央帯状領域１２に伸縮性を付与する部材である。本実施形態では、長手方向に伸長させた状態で脚周り弾性部材２８が取り付けられる。これにより、脚周り弾性部材２８は中央帯状領域１２の股下部５に対して長手方向に沿った収縮力を発現する。
【００５２】
一対のサイドフラップ１４には、長手方向に沿って伸縮するレッグギャザー弾性部材１５がそれぞれ設けられている。レッグギャザー弾性部材１５は、長手方向に沿って伸縮する弾性部材であり、おむつ１の着用時において、脚回り開口部に伸縮性を付与する部材である。すなわち、レッグギャザー弾性部材１５はおむつ１の脚繰り部を着用者の脚に合わせてフィットさせる脚回り弾性部材である。また、レッグギャザー弾性部材１５が股下部５の肌側シート２６及びバックシート２３に伸縮性を付与することによって、レッグギャザー１６が構成される。
【００５３】
レッグサイドギャザー１７は、脚繰りの隙間からの液漏れを防ぐための立体ギャザーである。一対のレッグサイドギャザー１７は、前部３、股下部５及び後部７にわたって長手方向に沿って形成されている（図１参照）。レッグサイドギャザー１７は、サイドフラップ１４の内側で中央帯状領域１２の両縁を覆うように形成されている。
【００５４】
レッグサイドギャザー１７（立体ギャザー）は、主に肌側シート２６の幅方向内側の部位から構成されている（図２参照）。股下部５の肌側シート２６の内縁は糸ゴム等のレッグサイドギャザー弾性部材１８によって伸縮性を有している。肌側シート２６は、中央帯状領域１２とサイドフラップ１４との間の接合部２６Ａで長手方向に沿って接合されている。おむつ１の着用時には、レッグサイドギャザー弾性部材１８の伸縮性によって肌側シート２６の接合部２６Ａよりも内側の領域が、接合部２６Ａを基点として着用者の肌側に立ち上がり、排泄物等の横漏れを抑制する。
【００５５】
ファスニングテープ３０は、おむつ１の後部７においてサイドフラップ１４の幅方向の両側部に配置されている（図１参照）。そして、後述するターゲットテープ２９（図1）に各ファスニングテープ３０を係止することにより、おむつ１の胴回り開口及び脚回り開口が形成され、着用者の身体（胴）に対しておむつ１の位置を固定することができる。
【００５６】
中央帯状領域１２の前部３には、ターゲットテープ２９が設けられている（図１参照）。ターゲットテープ２９は、前部３のバックシート２３の非肌側に配置されている。ターゲットテープ２９は、ファスニングテープ３０と係合可能な部材であり、例えば不織布によって形成されている。ターゲットテープ２９は、ファスニングテープ３０を係合させるターゲット領域を構成する。なお、バックシート２３の非肌側にターゲットテープ２９を配置する代わりに、バックシート２３を構成している最外層の不織布にターゲット領域を直接形成しても良い。そして、ファスニングテープ３０をターゲットテープ２９に係合させることによって、おむつ１を着用させることになる。
【００５７】
本実施形態のおむつ１は、おむつ１の幅方向の中央部に便インジケータ４０を有しており、さらに、便インジケータ４０に対して幅方向外側に離間して、一対の尿インジケータ５０を有している。便インジケータ４０及び尿インジケータ５０は、厚さ方向において、それぞれ吸収体２１の非肌側に配置される。尿インジケータ５０は、従来の一般的なおむつに採用されているｐＨ指示薬を含むインジケータとして構成されている。例えば、尿インジケータ５０は、尿のｐＨを反応因子（尿インジケータ反応因子）として、尿と接触することによって所定の反応（例えば呈色反応）を呈することにより、尿が排出されたことを検知する。便インジケータ４０の詳細については後述する。
【００５８】
＜便インジケータ４０の原理＞
便インジケータ４０は、おむつ１等の吸収性物品用の便インジケータであって、便中に含まれる所定の反応因子（便インジケータ反応因子）と接触することによって所定の反応（例えば呈色反応）を呈することにより、便が排出されたことを検知する。本実施形態では、便インジケータ４０が便中の生体物質を検知する化学成分を含み、この化学成分の便への応答と、尿への応答が異なることにより、便の排出のみを検出することを可能としている。
【００５９】
例えば、便インジケータ４０に含まれる化学成分が検知する生体物質をたんぱく質とする場合、当該化学成分としては、ｐＨ指示薬を用いることが好ましい。一般に、たんぱく質は、アミノ酸が重合した構造を有しており、たんぱく質の主鎖の両末端や側鎖に酸性及び塩基性の官能基を有しているため、一定以上のたんぱく質が存在する場合、ｐＨ指示薬を変色させることができる（たんぱく誤差法）。本実施形態では、便中の食物由来の未消化のたんぱく質や、腸内細菌から分泌されるたんぱく質等を検知することで、ｐＨ指示薬が便に応答するようにしている。
【００６０】
具体的なｐＨ指示薬としては、例えば、テトラフェノールブルーを使用することができる。この場合、たんぱく質が存在すると、タンパク質中の遊離アミノ基と結合して塩様青色化合物を形成し、真のｐＨより高めのｐＨに相当する青色を呈する。よって、テトラフェノールブルーを含んだ便インジケータ４０が便と接触することで、黄色から青色を呈色する。なお、ｐＨ指示薬の変色を起こしやすくするためには、予めｐＨ３程度の酸性側にしておくことが望ましい。そのため、ｐＨ指示薬にクエン酸緩衝剤等を含ませてもよい。
【００６１】
このように、所定のｐＨ指示薬を用いることにより、尿や便自体のｐＨ変化によって、ｐＨ指示薬が呈色せず、たんぱく質に応答して当該ｐＨ指示薬を呈色させることができる。なお、たんぱく誤差法に用いられるｐＨ指示薬は、上記のテトラフェノールブルーに限定されるものではなく、他のｐＨ指示薬を用いることもできる。例えば、ブロモフェノールブルー、ブロモクレゾールグリーン、チモールフタレイン等、若しくはその他の指示薬を用いることができる。さらに、ｐＨ指示薬は、肌に対して安全であり、湿気や日光による保管性に優れたものであることが望ましい。
【００６２】
また、便インジケータ４０では、排泄物が便であるか尿であるかを誤検出しないように、便インジケータ４０に含まれる化学成分が便に応答し、尿には応答しないようにすることが望ましい。そこで、本実施形態における便インジケータ４０は、所定濃度以上の便インジケータ反応因子（たんぱく質等）に応答して呈色反応等の反応を示し、便インジケータ反応因子が所定濃度よりも小さい場合には、反応を生じ難くしている。
【００６３】
一般に、健常者の尿中には、たんぱく質は含まれておらず、非健常者であっても、尿中のたんぱく質は、１０，０００ｍｇ／Ｌを下回る。よって、本実施形態においては、ｐＨ指示薬を使用したたんぱく質誤差法により、便インジケータ５０が、１５０ｍｇ／Ｌ以上のたんぱく質に応答することが好ましく、５，０００ｍｇ／Ｌ以上のたんぱく質に応答することがより好ましく、１０，０００ｍｇ／Ｌ以上のたんぱく質に応答することが更に好ましい。例えば、化学成分としてブロモフェノールブルーを使用する条件で、便インジケータ５０が１５０ｍｇ／Ｌ以上のたんぱく質に応答する場合、便インジケータ５０における１ｃｍ２あたりのｐＨ指示薬の適用量を、１６．３μｇとすることが好ましく、便インジケータ５０が５，０００ｍｇ／Ｌ以上のたんぱく質に応答する場合、便インジケータ５０における１ｃｍ２あたりのｐＨ指示薬の適用量を、０．５μｇとすることが好ましく、便インジケータ５０が１０，０００ｍｇ／Ｌ以上のたんぱく質に応答する場合、便インジケータ５０における１ｃｍ２あたりのｐＨ指示薬の適用量を、０．２５μｇとすることが好ましい。なお、ｐＨ指示薬の適用量を１７．０μｇ以下とすることにより、吸収性物品の着用者に対する便インジケータ４０の安全性が高まる。
【００６４】
本実施形態では、このようにｐＨ指示薬の塗布量を調整することによって、便インジケータ４０が便に対して反応可能な範囲と比較して、尿に対して反応可能な範囲を相対的に小さくすることができる。言い換えると、便インジケータ４０の便に対する反応と、便インジケータ４０の尿に対する反応とを異ならせることができる。これにより、便インジケータ４０を尿に対して反応し難くすることができる。
【００６５】
また、便インジケータ４０は、上述したたんぱく質を反応因子として限定するものではない。例えば、便中に含まれる腸内細菌や、便の比重と相関関係がある便のイオン強度、胆汁色素のビリルビン等、便に由来する物質に反応するようにしても良い。これらの成分は、一般に、尿に含まれていない、若しくは便と比較して尿に含有される量や比重が非常に小さい。したがって、たんぱく質を反応因子とする場合と同様に、便インジケータ４０が尿に対して反応し難く、便に対して反応しやすくなる。したがって、おむつ１において排泄された便を精度よく検出することができる。
【００６６】
便インジケータ４０は、上述のような化学成分（例えばｐＨ指示薬）を含んだ接着剤（例えばホットメルト接着剤ＨＭＡ）をおむつ１のバックシート２３の肌側面に塗工することによって形成されている。本実施形態では、図１に示されるように、幅方向の中央において、股下部５から後部７にわたって、長手方向に沿った帯状（若しくは線状）の領域に、コーターを用いてホットメルト接着剤（ＨＭＡ）を塗工することによって便インジケータ４０が形成されている。このようなコーター塗工によれば、均等な膜厚でムラの少ない便インジケータ４０を形成することが可能となり、便の検出精度を高めることができる。また、製造コストを抑えることができる。なお、尿インジケータ５０についても同様にして形成することができる。
【００６７】
また、化学成分をインクと混ぜて、バックシート２３やコアラップシート２５に印刷塗工することによって便インジケータ４０が形成されるのであっても良い。また、化学成分を染みこませた濾紙や不織布を、ホットメルト接着剤（ＨＭＡ）や超音波溶着でバックシート２３やコアラップシート２５に接合固定することによって便インジケータ４０が形成されるのであっても良い。
【００６８】
また、便インジケータ４０及び尿インジケータ５０は、図１に示されるような帯状のパターンでは無く、それぞれ異なる図柄のパターンによって形成されていても良い。図３は、便インジケータ４０及び尿インジケータ５０の変形例について示す図である。図３では、星マークで表される図柄パターンによって便インジケータ４０が形成され、顔マークで表される図柄パターンによって尿インジケータ５０が形成されている。図３に示されるように、便インジケータ４０と尿インジケータ５０とが異なる図柄パターンであることにより、おむつ１の外部から視覚的に排便と排尿との区別がつきやすくなり、使用者による誤認を生じにくくすることができる。
【００６９】
また、便インジケータ４０が図柄のパターンによって形成され、尿インジケータ５０が帯状パターンによって形成されていてもよい。逆に、便インジケータ４０が帯状パターンによって形成され、尿インジケータ５０が図柄のパターンによって形成されていているのであっても良い。このような場合も、便インジケータ４０と尿インジケータ５０との外観的な差異が明確となるため、使用者は、排便と排尿とを区別しやすくなる。
【００７０】
また、本実施形態において、便インジケータ４０は、長手方向の後側（背側）寄りに配置されている。言い換えると、長手方向において、便インジケータ４０の中心が、おむつ１の中心（図１において線Ｂ−Ｂの位置）よりも後側に位置するように、便インジケータ４０が配置されている。このよう配置とすることにより、長手方向において便インジケータ４０の位置と着用者の肛門（臀部）とが近くなる。したがって、排泄された便が便インジケータ４０に到達しやすくなり、便の検出精度をより高めることができる。
【００７１】
また、便インジケータ４０のうち、長手方向の中心（図１において線Ｂ−Ｂの位置）よりも後側（背側）に配置されている面積が、長手方向の中心よりも前側（腹側）に配置されている面積よりも大きいことが望ましい。すなわち、便インジケータ４０は長手方向の前側よりも後側の面積が大きくなるように設けられていていることが望ましい。このようにすれば、着用者の肛門付近（すなわち、長手方向の後側）の領域において、便インジケータ４０によって便を検出できる範囲を広くすることができる。したがって、便の検出精度をより高めることができる。
【００７２】
＜便の透過性について＞
便インジケータ４０によって便を検出するためには、便中に含まれる水分（便汁）を便インジケータ４０と接触させる必要がある。したがって、おむつ１の最も肌側に設けられているトップシート２２に排泄された便（便汁）を、バックシート２３に設けられた便インジケータ４０まで到達させる必要がある。すなわち、便インジケータ４０よりも厚さ方向の肌側に設けられているシート部材を透過させて、便（便汁）を便インジケータ４０まで到達させる必要がある。
【００７３】
おむつ１では、図２に示されるように、便インジケータ４０よりも厚さ方向の肌側において、少なくとも、トップシート２２、セカンドシート３５、コアラップシート２５の３枚のシート部材が積層されている。本実施形態では、これらのシート部材２２，３５，２５の各々における液体（便汁や尿）の透過しやすさを適当に調整することによって、便インジケータ４０まで便（便汁）を到達させやすくしている。具体的には、積層された各シート部材のクレム吸水度の大きさを調整する。クレム吸水度は、紙の下端を鉛直に水の中に浸せきし、毛管現象によって、１０分間に水が上昇した高さ（ｍｍ）によって表され（ＪＩＳ  Ｐ  ８１４１：２００４参照）、クレム吸水度が高いシート部材ほど液体を引き込みやすい。すなわち、液体を浸透させやすい。
【００７４】
なお、トップシート２２を構成するシート部材としては、坪量３０ｇ／ｍ２のエアスルー不織布を例示できる。また、トップシート２２の非肌側に積層されるセカンドシート３５を構成するシート部材としては、坪量３５ｇ／ｍ２のレーヨン及びパルプの混繊維を例示できる。また、セカンドシート３５の非肌側に積層されるコアラップシート２５を構成するシート部材としては、坪量１０ｇ／ｍ２のＳＭＳ不織布を例示できる
【００７５】
本実施形態では、トップシート２２のクレム吸水度よりも、セカンドシート３５及びコアラップシート２５のクレム吸水度が大きくなるように、各々のシート部材のクレム吸水度が調整されている。すなわち、トップシート２２と便インジケータ４０との間に設けられたシート部材のクレム吸水度は、トップシート２２のクレム吸水度よりも大きい。したがって、トップシート２２の肌側に便が排泄されると、便に含まれる水分（便汁）は、セカンドシート３５及びコアラップシート２５によって非肌側に引き込まれ、トップシート２２から便インジケータ４０へと透過しやすくなる。通常の便は、粒子と便汁とが混在した状態（エマルション状態）であるため、トップシート２２等の不織布を透過し難い。しかしながら、本実施形態のように、トップシート２２よりも非肌側に設けられたシート部材（２５，３５）のクレム吸水度を高くすることにより、便中の水分がトップシート２２をスムーズに透過できるようになる。
【００７６】
なお、トップシート２２のクレム吸水度がセカンドシート３５及びコアラップシート２５のクレム吸水度よりも大きい場合には、トップシート２２の非肌側に便（便汁）を引き込む力が作用し難い。そのため、便（便汁）はトップシート２２を透過することなく、トップシート２２自体が便を吸収して拡散させてしまう。したがって、便インジケータ４０に便（便汁）が到達し難くなり、便の検出精度は低下する。
【００７７】
また、本実施形態では、セカンドシート３５のクレム吸水度が、コアラップシート２５のクレム吸水度よりも大きい。上述したように、セカンドシート３５は、便に含まれた水分（便汁）をトップシート２２から非肌側に強く引き込む機能を発揮する必要がある。そのため、セカンドシート３５のクレム吸水度は極力大きいことが望ましい。一方、コアラップシート２５は、トップシート２２を透過して粒子が除かれた便汁を非肌側に引き込めれば良いため、セカンドシート３５ほど便汁を強く引き込む必要は無く、クレム吸水度も大きくする必要は無い。逆に、コアラップシート２５のクレム吸水度が過度に大きいと、コアラップシート２５に引き込まれた便汁がコアラップシートの表面に拡散してしまい、便インジケータ４０に到達し難くなる。したがって、本実施形態では、コアラップシート２５のクレム吸水度をセカンドシート３５のクレム吸水度をよりも小さくしている。
【００７８】
図４は、各シート部材のクレム吸水度の大きさと、便インジケータ４０の反応性との関係について検証実験を行った結果について表した表である。実験では、先ず、ＪＩＳ  Ｐ  ８１４１：２００４に準じた方法でクレム吸水度評価試験を実施し、トップシート２２、セカンドシート３５、コアラップシート２５の各々のシート部材についてクレム吸水度を測定した。具体的には、各シート部材２２，３５，２５から、幅１５±１ｍｍ，長さ１５０ｍｍ以上となる試験片を複数片（例えば１０片）採取し、各試験片の短辺から１０ｍｍの位置に短辺と平行に標線を設け、短辺と標線との間の領域に、クリップまたはおもりを取り付ける。そして、長辺方向においてクリップ等を取り付けた領域と反対側の端部を吊り下げ具に取り付けて、液体で満たされた浸せき容器内に試験片を標線まで入れ、１分間経過後に液体が上昇した高さを測定する。測定に用いられる液体は人工便とし、これにより、便に対するクレム吸水度（便クレム吸水度）を測定する。人工便は、一例として、イオン交換水：７３％、ＮａＣｌ：１％、グリセリン：１３．９％、ＮａＣＭＣ：２％、セルロース１０％、色粉０．１％を含み、粘度を２０００ｍＰａ・Ｓに調整したものを使用した。なお、本実験では、おむつ１を実際に着用した際に、排泄された便（便汁）が便インジケータ４０に到達するまでの時間を考慮して、液体上昇の測定時間を１分間経過後としている。１分以上の時間が経過すると、便が乾きやすくなり、それ以降は便インジケータ４０に便（便汁）が到達し難くなって、排便を検出し難くなるおそれがあるためである。但し、試験片の大きさや試験片を浸せきする時間等は、おむつ１の使用状況を考慮して変更してもよい。
【００７９】
各シート部材の便クレム吸水度は、トップシート２２が７ｍｍ、セカンドシート３５が４５ｍｍ、コアラップシート２５が１１ｍｍであった。すなわち、便クレム吸水度は、セカンドシート３５、コアラップシート２５、トップシート２２の順に小さくなっていることが確認された。なお、液体として水（尿）を用いて試験を行った場合も、各シート部材のクレム吸水度は同様の傾向を示した。
【００８０】
続いて、これらのシート部材２２、２５、３５を厚さ方向に積層させ、厚さ方向の最も肌側に５ｇの人工便を配置し、厚さ方向の最も非肌側に便インジケータ４０を配置する。そして、５分経過後において便インジケータ４０が呈色反応を示した領域の大きさ（インジケータの長手方向の長さ）を測定した。そして、シート部材２２、２５、３５を積層させる順番を変更した条件１〜３の場合について、便インジケータ４０の反応性について検証を行った。
【００８１】
条件１は、本実施形態と同様に、厚さ方向の肌側からトップシート２２、セカンドシート３５、コアラップシート２５の順に積層させた場合である。この場合、便インジケータ４０の呈色反応の範囲（図４の写真中でＡとＢの間隔）は最も広くなり、便を検出しやすいことが明らかとなった。これは、上述のように、セカンドシート３５によってトップシート２２から便を引き込み、コアラップシート２５によって、便を拡散させない程度に便インジケータ４０まで浸透させたことによる。
【００８２】
条件２は、セカンドシート３５とコアラップシート２５との配置を入れ替えた場合である。すなわち、クレム吸水度が最も小さいトップシート２２を最も肌側に配置し、クレム吸水度が最も大きいセカンドシート３５を最も非肌側に配置した場合である。この場合、便インジケータ４０の反応範囲は条件１よりも狭くなり、条件１と比較して便を検出し難いことが明らかとなった。これは、トップシート２２の非肌側に積層されたコアラップシート２５のクレム吸水度が十分に大きくないため、トップシート２２からコアラップシート２５への便汁の引き込みが弱く、十分な量の便汁が便インジケータ４０まで浸透しなかったことによる。
【００８３】
条件３は、クレム吸水度が最も大きいセカンドシート３５を最も肌側に配置し、クレム吸水度が最も小さいトップシート２２を最も非肌側に配置した場合である。この場合、便インジケータ４０の反応範囲は最も狭く、便をほとんど検出できていないことが明らかとなった。これは、肌側においてセカンドシート３５によるクレム吸水度が大きすぎて、便が非肌側にほとんど浸透しなかったことによる。
【００８４】
これらの実験結果から、本実施形態のように、各々のシート部材２２、３５、２５のクレム吸水度を調整することによって、排泄された便が便インジケータ４０まで到達しやすくなり、精度よく便を検出できることが明らかとなった。
【００８５】
また、図１に示されるように、セカンドシート３５及びコアラップシート２５は、おむつ１の長手方向及び幅方向において、便インジケータ４０と重複する部分を有している。この場合、セカンドシート３５及びコアラップシート２５によって、トップシート２２の肌側面から厚さ方向の非肌側に引き込まれた便（便汁）は、そのまま厚さ方向の非肌側に透過していき、便インジケータ４０と直接接触しやすくなる。これにより、便インジケータ４０がより便を検出しやすくなる。
【００８６】
また、図１に示されるように、長手方向において、セカンドシート３５の中心は、おむつ１の中心（図１のＢ−Ｂの位置）よりも後側（背側）に位置している。すなわち、セカンドシート３５は長手方向の後側寄りに配置されている。したがって、セカンドシート３５は、おむつ１の着用時において、着用者の臀部側（すなわち肛門付近）に配置されやすく、排出された便を、速やかに非肌側に引き込むことができる。これにより、便（便汁）を便インジケータ４０に到達させやすくすることができる。
【００８７】
さらに、長手方向において、セカンドシート３５の前側端は、おむつ１の中心（図１のＢ−Ｂの位置）よりも後側（背側）に位置している。おむつ１は、着用時において長手方向中心位置（図１のＢ−Ｂ）にて長手方向に二つ折りにされる。すなわち、おむつ１の長手方向中心位置は、おむつ１の折り曲げ位置である。仮に、セカンドシート３５が長手方向においておむつ１の中心位置と重複していた場合、おむつ１の着用時に、該セカンドシート３５も長手方向に折り曲げられ、トップシート２２との接合部に剥離が生じる場合がある。トップシート２２とセカンドシート３５とが剥離した場合、当該剥離が生じた部分においてトップシート２２からセカンドシート３５への便汁の引き込みが阻害され、便汁が便インジケータ４０に到達し難くなるおそれがある。これに対して、本実施形態では、おむつ１の中心とセカンドシート３５とが重複していないため、セカンドシート３５が折れ曲がりにくく、トップシート２２との剥離も生じ難い。したがって、便汁が便インジケータ４０に到達し難くなってしまうことを低減できる。
【００８８】
＜吸収体２１の構造について＞
上述のように、本実施形態のおむつ１では、吸収体２１の非肌側に便インジケータ４０を配置して便を検出するようにしているが、通常、便は粘性が高く流動性が低いため、吸収体２１を厚さ方向に透過し難い。そのため、便インジケータ４０が吸収体２１の非肌側に設けられている場合、当該便インジケータ４０に便が到達しにくくなるおそれがある。
【００８９】
これに対し、本実施形態では、吸収体２１が、幅方向の中央部に低坪量部２１Ａを有している（図２参照）。低坪量部２１Ａにおいては、坪量が、低坪量部２１Ａに幅方向の外側から隣接する領域２１Ｂ、２１Ｂの坪量よりも低くなっている。ここで、坪量とは、単位面積当たりの質量のことである。本実施形態の低坪量部２１Ａの坪量は、０〜２００ｇ／ｍ2程度であることが好ましく、１００ｇ／ｍ2程度であることがより好ましい。隣接する領域２１Ｂのそれぞれの坪量は、３７０ｇ／ｍ2程度が好ましい。尚、低坪量部２１Ａの坪量が２００g/m2を超えてしまうと、坪量が高すぎて便が低坪量部２１Ａを透過することが困難になる。
【００９０】
そして、本実施形態の便インジケータ４０は、図１に示すように、長手方向及び幅方向において、低坪量部２１Ａと重複する部分を有するように配置されている。このような構成によって、おむつ１に排泄された便（便汁）が、吸収体２１の低坪量部２１Ａを透過して肌側から非肌側へ移動し、便インジケータ４０に到達しやすくなる。したがって、便インジケータ４０による便の検出性をより高めることができる。
【００９１】
なお、低坪量部２１Ａの坪量はゼロであっても良い。図５は、低坪量部２１Ａ（吸収性コア２４）の別の構成を示す部分拡大断面図である。図５に示すように、低坪量部２１Ａは、少なくとも幅方向の中央部において、坪量がゼロである領域２１Ｃ（以下、「スリット２１Ｃ」ともいう）を有していてもよい。低坪量部２１Ａの幅方向中央部に坪量がゼロである領域２１Ｃ（スリット２１Ｃ）を設けることで、便の水分は領域２１Ｃを透過することによって、より厚さ方向の下層に引き込まれることとなる。下層への引き込み性の向上により、結果として便インジケータ４０の反応性を向上させることができる。
【００９２】
本実施形態において、便インジケータ４０は、厚さ方向において、吸収体２１の低坪量部２１Ａとバックシート２３との間に配置されている。そして、幅方向において低坪量部２１Ａと対応する領域では、トップシート２２とセカンドシート３５、セカンドシート３５とコアラップシート２５、及びコアラップシート２５とバックシート２３が、それぞれ厚さ方向に接合されている。接合方法は、ホットメルト接着剤等をコータースプレー法、スパイラルスプレー法、オメガスプレー法、カーテンスプレー法などの公知の塗布方法で塗布して固定する方法や、超音波溶着（ソニックシール）法などが挙げられる。
【００９３】
また、図５に示すように、低坪量部２１Ａが、少なくとも幅方向の中央部においてスリット２１Ｃを有している場合に、トップシート２２、セカンドシート３５、コアラップシート２５、及びバックシート２３が厚さ方向に接合されていてもよい。その際、コアラップシート２５においては、吸収性コア２４の肌側面を覆う肌側部２５ａと、非肌側面を覆う非肌側部２５ｂとが、幅方向においてスリット２１Ｃと対応する領域にて、厚さ方向に接合されていることが好ましい。
【００９４】
このように、低坪量部２１Ａ或いはスリット２１Ｃと幅方向に対応する領域において、厚さ方向に隣接する上記各シートをそれぞれ接合させることによって、各シート間において厚さ方向に空間が生じず、厚さ方向非肌側への便の水分の引き込み性を向上させることができる。
【００９５】
また、各上記シート間の低坪量部２１Ａにおける接合強度は、セカンドシート３５とコアラップシート２５との接合強度が、トップシート２２とセカンドシート３５との接合強度よりも高いことが好ましい。便の中には、通常、粒の大きな粒子と水分が混ざっているが、その粒子と水分が混ざった状態の最も便が透過しにくいトップシート２２において、ホットメルト接着剤等の接着剤の密度を低くすることで、便がトップシート２２を透過するのを妨げにくくする。一方で、セカンドシート３５には、トップシート２２から濾過された便の水分が浸透しているため、セカンドシート３５とコアラップシート２５とを接合するホットメルト接着剤等の接着剤の密度を高くしても、浸透を阻害しない。
【００９６】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９７】
上述の実施形態では、セカンドシート３５を厚さ方向においてトップシート２２とコアラップシート２５との間に配置しているが、吸収体２１と便インジケータ４０との間に、液体を拡散させる拡散シートとして配置してもよい。そうすることで、低坪量部２１Ａを透過した便の水分を吸収体２１の下層で拡散させ、便インジケータ４０をより広い範囲で反応させることができる。それにより、おむつ１外面からの視認性を高めることができる。
【００９８】
また、トップシート２２は、開口を有していてもよい。開口を有することによって、セカンドシート３５と便との接地面積を増やし、セカンドシート３５への便の透過性を向上させることができる。
【００９９】
また、上述の実施形態では、低坪量部２１Ａの形状は、図１に示す平面視において長手方向に長い長方形状であるが、形状はこの限りではない。例えば、正方形、幅方向に長い長方形状、ハート型等のパターン形状などでもよい。
【０１００】
また、上述の実施形態では、低坪量部２１Ａの数は、おむつ１の幅方向の中央部に１つであったが、低坪量部２１Ａは複数設けられてもよい。この場合、各低坪量部２１Ａに対して長手方向及び幅方向において重複する部分を有するように便インジケータ４０を複数配置することよって、排便の検知をより向上させることもできる。
【０１０１】
また、上述の実施形態では、トップシート２２、セカンドシート３５、及びコアラップシート２５のクレム吸水度を調整することによって、便（便汁）を便インジケータ４０に引き込みやすくすることを説明したが、このような構成は、便インジケータ４０を備えていない吸収性物品についても有効である。例えば、上述の実施形態と同様に、トップシート２２のクレム吸水度を小さく、セカンドシート３５のクレム吸水度を大きくすることにより、トップシート２２に排泄された尿を、該トップシート２２の表面に拡散させること無く、セカンドシート３５及びコアラップシート２５によって非肌側に引き込み、吸収体２１に吸収させやすくすることができる。これにより、トップシート２２のリウェットを抑制しつつ、尿等の水分が吸収体２１に吸収され、吸収性物品着用時における着用者の肌のかぶれや蒸れを抑制することができる。
【符号の説明】
【０１０２】
１  テープ型使い捨ておむつ（吸収性物品）
３  前部
５  股下部
７  後部
１２  中央帯状領域
１４  サイドフラップ
１５  レッグギャザー弾性部材
１６  レッグギャザー
１７  レッグサイドギャザー
１８  レッグサイドギャザー弾性部材
２１  吸収体
２１Ａ  低坪量部
２１Ｂ  領域（非低坪量部）
２１Ｃ  スリット（坪量がゼロである領域）
２２  トップシート
２３  バックシート
２４  吸収性コア
２５  コアラップシート
２６  肌側シート
２６Ａ  接合部
２７  外装シート
２８  脚周り弾性部材
２９  ターゲットテープ
３０  ファスニングテープ
３５  セカンドシート
４０  便インジケータ
５０  尿インジケータ
【図１】
2020081343.tif 000003
【図２】
2020081343.tif 000004
【図３】
2020081343.tif 000005
【図４】
2020081343.tif 000006
【図５】
2020081343.tif 000007